(57)【要約】【課題】価値情報が表示されるまでに電文の字数より多い文字列を提示することが可能となる。【解決手段】情報提示装置と端末装置とを備える情報提示システムであって、情報提示装置は、予め指定された価値を表す価値情報を取得するための取得手段と、電文に予め定められた制限の数よりも多くの文字と、を含む価値取得情報を取得するための文字列を含み、数に字数を制限された電文を生成する電文生成部と、電文を端末装置に送信する送信部と、を備え、端末装置は、電文に含まれる価値取得情報を取得するための文字列に基づいて価値取得情報を取得する指示受付部と、価値取得情報を表示する表示部、を備える、情報提示システムである。【選択図】図２
2019213041.tif 000002
【特許請求の範囲】
【請求項１】
情報提示装置と端末装置とを備える情報提示システムであって、
前記情報提示装置は、
予め指定された価値を表す価値情報を取得するための取得手段と、電文に予め定められた制限の数よりも多くの文字と、を含む価値取得情報を取得するための文字列を含み、前記数に字数を制限された電文を生成する電文生成部と、
前記電文を前記端末装置に送信する送信部と、
を備え、
前記端末装置は、
前記電文に含まれる価値取得情報を取得するための文字列に基づいて前記価値取得情報を取得する指示受付部と、
前記価値取得情報を表示する表示部、
を備える、
情報提示システム。
【請求項２】
前記端末装置は、
前記指示受付部は、表示された前記取得手段に基づいて前記価値情報の取得指示を受け付けると、前記価値情報を取得し、
前記表示部は前記価値情報を表示し、
前記情報提示装置は、
前記価値情報の取得指示に基づいて、前記端末装置から価値情報の取得指示を受け付けたことを示すアクセス情報を生成するアクセス情報処理部と、
前記アクセス情報を記憶する記憶部と、
を更に備える、請求項１に記載の情報提示システム。
【請求項３】
前記アクセス情報処理部は、前記記憶部に記憶された前記アクセス情報の個数を計数することで、前記価値情報にアクセスされた回数を特定する、
請求項２に記載の情報提示システム。
【請求項４】
前記端末装置が持つ電話番号と前記電話番号の状態を表す状態情報とに基づいて、前記端末装置の所有者が変更されているか否かを判定する他人名義判定部を更に備える、
請求項１から３のいずれか一項に記載の情報提示システム。
【請求項５】
前記電文はショートメッセージである、
請求項１から４のいずれか一項に記載の情報提示システム。
【請求項６】
予め指定された価値を表す価値情報を取得するための取得手段と、電文に予め定められた制限の数よりも多くの文字と、を含む価値取得情報を取得するための文字列を含み、前記数に字数を制限された電文を生成する電文生成部と、
前記電文を端末装置に送信する送信部と、
を備える、情報提示装置。
【請求項７】
情報提示装置と端末装置とを備える情報提示システムが有する情報提示方法であって、
情報提示装置が、予め指定された価値を表す価値情報を取得するための取得手段と、電文に予め定められた制限の数よりも多くの文字と、を含む価値取得情報を取得するための文字列を含み、前記数に字数を制限された電文を生成する電文生成ステップと、
情報提示装置が、前記電文を前記端末装置に送信する送信ステップと、
端末装置が、前記電文に含まれる価値取得情報を取得するための文字列に基づいて前記価値取得情報を取得する指示受付ステップと、
端末装置が、前記価値取得情報を表示する表示ステップと、
を有する、情報提示方法。
【請求項８】
請求項１から５のいずれか一項に記載の情報提示システムとしてコンピュータを機能させるためのコンピュータプログラム。
【発明の詳細な説明】
【技術分野】
【０００１】
本発明は、情報提示システム、情報提示装置、情報提示方法及びコンピュータプログラムに関する。
【背景技術】
【０００２】
近年、企業の営業活動の一つとして、スマートフォン又は携帯電話等の携帯端末に向けて電子クーポン等の価値情報を送信することが行われている。価値情報は、例えば商品の割引又は景品の引換等の予め指定された価値を有する。携帯端末の所有者は、価値情報を使用することで商品の割引又は景品の引換等の価値を享受する。価値情報を送信する手段として、電子メール又はショートメッセージ等の電文が用いられる。ショートメッセージは、電子メールよりも開封率が高いことが知られている。このため、価値情報をより確実に送信するためにショートメッセージが用いられることも多い。
【先行技術文献】
【特許文献】
【０００３】
【特許文献１】特開２０１５−１２６０２号公報
【発明の概要】
【発明が解決しようとする課題】
【０００４】
しかしながら、ショートメッセージは、文字数に上限が設けられている。このため、価値情報を説明するための説明文の字数によっては、ショートメッセージでは説明文を記載しきれない場合がある。ショートメッセージのように文字数が制限された送信手段では、長い説明文が必要となる価値情報を送信することは難しいという問題があった。
【０００５】
上記事情に鑑み、本発明は、価値情報が表示されるまでに電文の字数より多い文字列を提示する技術を提供することを目的としている。
【課題を解決するための手段】
【０００６】
本発明の一態様は、情報提示装置と端末装置とを備える情報提示システムであって、前記情報提示装置は、予め指定された価値を表す価値情報を取得するための取得手段と、電文に予め定められた制限の数よりも多くの文字と、を含む価値取得情報を取得するための文字列を含み、前記数に字数を制限された電文を生成する電文生成部と、前記電文を前記端末装置に送信する送信部と、を備え、前記端末装置は、前記電文に含まれる価値取得情報を取得するための文字列に基づいて前記価値取得情報を取得する指示受付部と、前記価値取得情報を表示する表示部、を備える、情報提示システムである。
【０００７】
本発明の一態様は、上記の情報提示システムであって、前記端末装置は、前記指示受付部は、表示された前記取得手段に基づいて前記価値情報の取得指示を受け付けると、前記価値情報を取得し、前記表示部は前記価値情報を表示し、前記情報提示装置は、前記価値情報の取得指示に基づいて、前記端末装置から価値情報の取得指示を受け付けたことを示すアクセス情報を生成するアクセス情報処理部と、前記アクセス情報を記憶する記憶部と、を更に備える。
【０００８】
本発明の一態様は、上記の情報提示システムであって、前記アクセス情報処理部は、前記記憶部に記憶された前記アクセス情報の個数を計数することで、前記価値情報にアクセスされた回数を特定する。
【０００９】
本発明の一態様は、上記の情報提示システムであって、前記端末装置が持つ電話番号と前記電話番号の状態を表す状態情報とに基づいて、前記端末装置の所有者が変更されているか否かを判定する他人名義判定部を更に備える。
【００１０】
本発明の一態様は、上記の情報提示システムであって、前記電文はショートメッセージである。
【００１１】
本発明の一態様は、予め指定された価値を表す価値情報を取得するための取得手段と、電文に予め定められた制限の数よりも多くの文字と、を含む価値取得情報を取得するための文字列を含み、前記数に字数を制限された電文を生成する電文生成部と、前記電文を端末装置に送信する送信部と、を備える、情報提示装置である。
【００１２】
本発明の一態様は、情報提示装置と端末装置とを備える情報提示システムが有する情報提示方法であって、情報提示装置が、予め指定された価値を表す価値情報を取得するための取得手段と、電文に予め定められた制限の数よりも多くの文字と、を含む価値取得情報を取得するための文字列を含み、前記数に字数を制限された電文を生成する電文生成ステップと、情報提示装置が、前記電文を前記端末装置に送信する送信ステップと、端末装置が、前記電文に含まれる価値取得情報を取得するための文字列に基づいて前記価値取得情報を取得する指示受付ステップと、端末装置が、前記価値取得情報を表示する表示ステップと、を有する、情報提示方法である。
【００１３】
本発明の一態様は、上記の情報提示システムとしてコンピュータを機能させるためのコンピュータプログラムである。
【発明の効果】
【００１４】
本発明により、価値情報が表示されるまでに電文の字数より多い文字列を提示することが可能となる。
【図面の簡単な説明】
【００１５】
【図１】情報処理システムのシステム構成を表すシステム構成図である。
【図２】情報集計装置１００の機能構成を表す機能ブロック図である。
【図３】情報送信装置２００の機能構成を表す機能ブロック図である。
【図４】端末装置３００の機能構成を表す機能ブロック図である。
【図５】生成規則情報テーブルの一具体例を示す図である。
【図６】表示情報テーブルの一具体例を示す図である。
【図７】アクセステーブルの一具体例を示す図である。
【図８】短縮アクセステーブルの一具体例を示す図である。
【図９】表示情報に表示された電文の一具体例を示す図である。
【図１０】表示情報に表示された表示情報の一具体例を示す図である。
【図１１】他人名義判定の処理の流れの一具体例を示すフローチャートである。
【図１２】電文定義情報の生成処理の流れの一具体例を示すフローチャートである。
【図１３】電文の送信処理の流れの一具体例を示すフローチャートである。
【図１４】価値情報の取得の処理の流れの一具体例を示すシーケンスチャートである。
【発明を実施するための形態】
【００１６】
図１は、情報処理システム１のシステム構成を表すシステム構成図である。情報処理システム１は、ネットワーク５００に設けられる。情報処理システム１は、ネットワーク５００を介して互いに通信可能に接続される情報集計装置１００、情報送信装置２００、端末装置３００及び価値情報送信装置４００を備える。ネットワーク５００は、どのようなネットワークで構築されてもよい。例えば、ネットワーク５００は、インターネットで構成されてもよい。情報処理システム１は、文字数が制限された電文を端末装置３００に送信する。電文には、所定の表示情報へアクセスするためのＵＲＬが含まれる。端末装置３００は複数設けられてもよい。情報処理システム１は、情報提示システムの一態様である。
【００１７】
情報集計装置１００は、パーソナルコンピュータ又はサーバ等の情報処理装置である。情報集計装置１００は、受け付けた情報に基づいて、電文定義情報を生成する。電文定義情報は、電文の生成に用いられる。情報集計装置１００は、電文定義情報を情報送信装置２００へ送信する。情報集計装置１００は、価値情報へアクセスするためのＵＲＬを含む表示情報を生成する。情報集計装置１００は、端末装置３００によって表示情報から価値情報にアクセスされた回数を集計する。
【００１８】
情報送信装置２００は、パーソナルコンピュータ又はサーバ等の情報処理装置である。情報送信装置２００は、受け付けた電文定義情報に基づいて電文を生成する。情報送信装置２００は、生成された電文を端末装置３００へ送信する。情報送信装置２００は、端末装置３００からのアクセスに基づいて、端末装置３００を情報集計装置１００が記録する所定の表示情報にリダイレクトする。情報送信装置２００は、情報提示装置の一態様である。
【００１９】
端末装置３００は、スマートフォン又はタブレットコンピュータ等の端末装置である。端末装置３００は電話番号を有する。端末装置３００は電文を受信する。端末装置３００は電文に記載されたＵＲＬに基づいて、価値情報にアクセスする。
【００２０】
価値情報送信装置４００は、パーソナルコンピュータ又はサーバ等の情報処理装置である。価値情報送信装置４００は、端末装置３００に送信される価値情報を記録する。価値情報送信装置４００は、端末装置３００からの指示に基づいて端末装置３００に対して価値情報を送信する。
【００２１】
図２は、情報集計装置１００の機能構成を表す機能ブロック図である。情報集計装置１００は、バスで接続されたＣＰＵ（Central Processing Unit）やメモリや補助記憶装置などを備え、情報集計プログラムを実行することによって通信部１０１、入力部１０２、表示部１０３、生成規則情報記憶部１０４、転送情報記憶部１０５、表示情報記憶部１０６、アクセス情報記憶部１０７及び制御部１０８を備える装置として機能する。なお、通信部１０１、入力部１０２、表示部１０３、生成規則情報記憶部１０４、転送情報記憶部１０５、表示情報記憶部１０６、アクセス情報記憶部１０７及び制御部１０８の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。情報集計プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。情報集計プログラムは、電気通信回線を介して送信されてもよい。
【００２２】
通信部１０１は、ネットワークインタフェースである。通信部１０１はネットワーク５００を介して、情報送信装置２００又は端末装置３００と通信する。通信部１０１は、例えば無線ＬＡＮ（Local Area Network）、有線ＬＡＮ、ＬＴＥ（Long Term Evolution）（登録商標）又は５Ｇ等の通信方式で通信してもよい。
【００２３】
入力部１０２は、タッチパネル、マウス及びキーボード等の入力装置を用いて構成される。入力部１０２は、入力装置を情報集計装置１００に接続するためのインタフェースであってもよい。この場合、入力部１０２は、入力装置において入力された入力信号から入力データ（例えば、情報集計装置１００に対する指示を示す指示情報）を生成し、情報集計装置１００に入力する。
【００２４】
表示部１０３は、ＣＲＴ（Cathode Ray Tube）ディスプレイ、液晶ディスプレイ、有機ＥＬ（Electro Luminescence）ディスプレイ等の出力装置である。表示部１０３は、出力装置を情報集計装置１００に接続するためのインタフェースであってもよい。この場合、表示部１０３は、映像データから映像信号を生成し自身に接続されている映像出力装置に映像信号を出力する。
【００２５】
生成規則情報記憶部１０４は、磁気ハードディスク装置や半導体記憶装置等の記憶装置を用いて構成される。生成規則情報記憶部１０４は、生成規則情報テーブルを記憶する。生成規則情報テーブルは、表示情報又は電文を生成するために用いられる情報を記憶する。
【００２６】
図５は、生成規則情報テーブルの一具体例を示す図である。生成規則情報テーブルは、生成規則情報レコードを有する。生成規則情報レコードは、ユーザ識別子、表示情報フォーム、電文フォーム、第１オプション、第２オプション、第３オプション及び第４オプションの各値を有する。ユーザ識別子は、ユーザを特定可能な識別子である。ユーザ識別子は、他のユーザ識別子と重複しない情報である。ユーザは、例えば、金融機関、小売店又は飲食店等のサービス提供施設の顧客に対して電文を送信する者である。ユーザは、電文を送信する者であればどのような者であってもよい。表示情報フォームは、表示情報の様式が特定される識別子である。表示情報は、予め指定された価値を表す価値情報の取得手段を含む。価値情報の取得手段は、例えば価値情報ＵＲＬ（Uniform Resource Locator）の値を含む。表示情報は、価値情報を端末装置３００の所有者に付与する際の説明を含む。表示情報は、例えばランディングページの生成に用いられる情報である。表示情報は表示情報フォームに基づいて生成される。表示情報は価値取得情報の一態様である。価値情報ＵＲＬは、価値取得情報の一態様である。電文フォームは、電文定義情報の様式が特定される識別子である。電文定義情報は、電文の生成に用いられる情報である。電文フォームは、電文に記載される定型文を含む。電文定義情報は電文フォームに基づいて生成される。第１オプションは、価値送信情報に含まれる第１オプションの値の用途を定義する。価値送信情報については、後述する。第１オプションのカラムは、例えば、Message、Memo、Nullの３種類の値のうちいずれか１つが保持される。Messageは、価値送信情報に含まれる第１オプションの値が電文に含まれることを意味する。Memoは、第１オプションの値はユーザ識別子によって特定されるユーザのメモであることを意味する。Nullは、用途が決まっておらず何らの処理も行われないことを意味する。Memo又はNullが保持される場合、第１オプションの値は電文に含まれない。第２オプションのカラムから第４オプションのカラムについても第１オプションのカラムと同様であるため説明を省略する。なお、本実施形態では、生成規則情報テーブルは第１オプションから第４オプションまでのカラムを有するが、４つのオプションに限定されない。例えば、生成規則情報テーブルは３つのオプションを有してもよいし、５つ以上のオプションを有してもよい。
【００２７】
図５に示される例では、生成規則情報テーブルの最上段の生成規則情報レコードは、ユーザ識別子の値が“Ｕｓｅｒ０１”、表示情報フォームの値が“ＬＰ＿Ｆｏｒｍ１”、電文フォームの値が“ＳＭＳ＿Ｆｏｒｍ１”、第１オプションの値が“Ｍｅｓｓａｇｅ”、第２オプションの値が“Ｍｅｓｓａｇｅ”、第３オプションの値が“Ｍｅｍｏ”、第４オプションの値が“Ｎｕｌｌ”、である。従って、生成規則情報テーブルの最上段の生成規則情報レコードによると、ユーザは“Ｕｓｅｒ０１”であり、表示情報は、“ＬＰ＿Ｆｏｒｍ１”によって特定されるフォームに基づいて生成され、電文定義情報は、“ＳＭＳ＿Ｆｏｒｍ１”によって特定されるフォームに基づいて生成され、生成される電文には、価値送信情報に含まれる第１オプションの値及び第２オプションの値が用いられ、価値送信情報に含まれる第３オプションの値は、“Ｕｓｅｒ０１”のメモであり、価値送信情報に含まれる第４オプションの値は、何らの処理も行われないことがわかる。なお、図５に示される生成規則情報テーブルは一具体例に過ぎない。そのため、図５とは異なる態様で生成規則情報テーブルが構成されてもよい。
【００２８】
転送情報記憶部１０５は、磁気ハードディスク装置や半導体記憶装置等の記憶装置を用いて構成される。転送情報記憶部１０５は、転送情報テーブルを記憶する。転送情報テーブルは、表示情報ＵＲＬ、価値情報ＵＲＬ及び集計情報ＵＲＬを対応付けるテーブルである。表示情報ＵＲＬは、表示情報に端末装置３００がアクセスするためのＵＲＬを表す。価値情報ＵＲＬは、価値情報に端末装置３００がアクセスするためのＵＲＬを表す。価値情報ＵＲＬは表示情報に含まれる。価値情報ＵＲＬは、集計情報ＵＲＬと対応付けられている。価値情報ＵＲＬが選択された場合、端末装置３００は、価値情報ＵＲＬに対応付けられた集計情報ＵＲＬへリンクする。その後、端末装置３００のアクセスは価値情報ＵＲＬへ転送される。
【００２９】
図６は、表示情報テーブルの一具体例を示す図である。表示情報テーブルは、表示情報レコードを有する。表示情報レコードは、ユーザ識別子、電話番号、表示情報ＵＲＬ、価値情報ＵＲＬ及び集計情報ＵＲＬの各値を有する。ユーザ識別子は、電文を送信するサービスが特定される識別子である。電話番号は、ユーザ識別子によって特定されるサービスを使用する者の電話番号を表す。電話番号は、電文の宛先を表す。電文は電話番号を保持する端末装置３００に送信される。表示情報ＵＲＬは、表示情報に端末装置３００がアクセスするためのＵＲＬを表す。端末装置３００が、表示情報ＵＲＬにアクセスすると、端末装置３００の表示部３０３には表示情報が表示される。表示情報ＵＲＬは、他の表示情報ＵＲＬと重複しない情報である。価値情報ＵＲＬは、価値情報に端末装置３００がアクセスするためのＵＲＬを表す。端末装置３００が、価値情報ＵＲＬにアクセスすると、端末装置３００の表示部３０３には価値情報が表示される。価値情報ＵＲＬは、他の価値情報ＵＲＬと重複しない情報である。集計情報ＵＲＬは、端末装置３００が価値情報にアクセスした回数を集計するための集計頁のＵＲＬを表す。端末装置３００が集計情報ＵＲＬにアクセスすると、価値情報は、端末装置３００にアクセスされたと計数される。集計情報ＵＲＬは、他の集計情報ＵＲＬと重複しない情報である。
【００３０】
図６に示される例では、転送情報テーブルの最上段の転送情報レコードは、ユーザ識別子の値が“Ｕｓｅｒ０１”、電話番号の値が“０９０１１１１２２２２”、表示情報ＵＲＬの値が“https://www.lp_page/01d93”、価値情報ＵＲＬの値が “https://www.gift_value/01d93”、集計情報ＵＲＬの値が“https://www.a_tag/01d93”である。従って、転送情報テーブルの最上段の転送情報レコードによると、ユーザ識別子“Ｕｓｅｒ０１”によって特定されるサービスにおいて、電話番号“０９０１１１１２２２２”には、表示情報ＵＲＬ“https://www.lp_page/01d93”にアクセスすることで、価値情報ＵＲＬ“https://www.gift_value/01d93”、で取得可能な価値情報が付与される。端末装置３００が価値情報にアクセスした回数は、集計情報ＵＲＬ “https://www.a_tag/01d93”でアクセス可能な集計頁で集計されることがわかる。なお、図６に示される集計情報テーブルは一具体例に過ぎない。そのため、図６とは異なる態様で集計情報テーブルが構成されてもよい。
【００３１】
表示情報記憶部１０６は、磁気ハードディスク装置や半導体記憶装置等の記憶装置を用いて構成される。表示情報記憶部１０６は、表示情報を記憶する。表示情報は、ユーザ識別子及び電話番号の組み合わせ毎に記憶される。
【００３２】
アクセス情報記憶部１０７は、磁気ハードディスク装置や半導体記憶装置等の記憶装置を用いて構成される。アクセス情報記憶部１０７は、アクセステーブルを記憶する。アクセステーブルは、どの電話番号を持つ端末装置３００がどの価値情報にいつアクセスしたかを保持する。
【００３３】
図７は、アクセステーブルの一具体例を示す図である。アクセステーブルは、アクセスレコードを有する。アクセスレコードは、価値情報ＵＲＬ、電話番号及びアクセス日時の各値を有する。価値情報ＵＲＬは、アクセスされた価値情報のＵＲＬを表す。価値情報ＵＲＬは転送情報テーブルに保持される価値情報ＵＲＬと同じ値が用いられる。電話番号は、価値情報にアクセスした端末装置３００の電話番号を表す。電話番号は転送情報テーブルに保持される電話番号と同じ値が用いられる。アクセス日時は、端末装置３００によって価値情報ＵＲＬにアクセスされた日時を表す。
【００３４】
図７に示される例では、アクセステーブルの最上段のアクセスレコードは、価値情報ＵＲＬの値が“https://www.gift_value/01d93”、電話番号の値が“０９０１１１１２２２２”、アクセス日時の値が“２０１８／０５／１０  １４：１５：１０”である。従って、アクセステーブルの最上段のアクセスレコードによると、価値情報ＵＲＬ“https://www.gift_value/01d93”、で取得可能な価値情報は、電話番号“０９０１１１１２２２２”の端末装置３００に、 “２０１８／０５／１０  １４：１５：１０”にアクセスされたことがわかる。なお、図７に示されるアクセステーブルは一具体例に過ぎない。そのため、図７とは異なる態様でアクセステーブルが構成されてもよい。
【００３５】
制御部１０８は情報集計装置１００の各部の動作を制御する。制御部１０８は、例えばＣＰＵ等のプロセッサ及びＲＡＭを備えた装置により実行される。制御部１０８は、情報集計プログラムを実行することによって、価値送信情報取得部１０９、生成規則情報取得部１１０、転送情報生成部１１１、表示情報生成部１１２、電文定義情報生成部１１３、表示情報送信部１１４、アクセス情報処理部１１５及び転送部１１６として機能する。
【００３６】
価値送信情報取得部１０９は、価値送信情報を取得する。価値送信情報は、指定された端末装置３００の所有者に対して価値情報を送信するための情報である。価値送信情報は、ユーザ識別子、電話番号、価値情報ＵＲＬ及び登録日を含む。価値送信情報は、第１オプションから第４オプションを含んでもよい。価値情報は、商品の割引クーポン又は景品の引換クーポン等のように端末装置３００の所有者に受益される情報である。登録日は、ユーザ識別子によって特定されるユーザに、電話番号が登録された日を表す。価値送信情報は、ユーザ識別子によって特定されるサービスの提供者によって予め生成される。
【００３７】
生成規則情報取得部１１０は、生成規則情報を取得する。生成規則情報取得部１１０は、所定のユーザ識別子の値を保持する生成規則情報を取得する。所定のユーザ識別子は、例えば取得された価値送信情報に含まれるユーザ識別子であってもよい。
【００３８】
転送情報生成部１１１は、転送情報レコードを生成する。具体的には、転送情報生成部１１１は、取得された価値送信情報に含まれる価値情報ＵＲＬに基づいて、表示情報ＵＲＬ及び集計情報ＵＲＬを生成する。表示情報ＵＲＬ及び集計情報は、公知の手法を用いて生成されてもよい。転送情報生成部１１１は、取得された価値送信情報からユーザ識別子及び電話番号を取得する。転送情報生成部１１１は、ユーザ識別子、電話番号、価値情報ＵＲＬ、表示情報ＵＲＬ及び集計情報ＵＲＬを含む転送情報レコードを生成する。転送情報生成部１１１は、生成された転送情報レコードを転送情報テーブルに記録する。表示情報ＵＲＬは、場所情報の一態様である。場所情報は、価値情報の記録場所を示す情報である。取得情報は集計情報ＵＲＬの一態様である。取得情報は場所情報に対応付けられた情報である。
【００３９】
表示情報生成部１１２は、取得された生成規則情報に基づいて表示情報を生成する。表示情報生成部１１２は、生成規則情報が保持する表示情報フォームを取得する。表示情報生成部１１２は、表示情報フォームの所定のフィールドに、取得された価値送信情報に含まれる価値情報ＵＲＬの値と集計情報ＵＲＬの値とを含めることで、表示情報を生成する。表示情報生成部１１２は、生成された表示情報を、取得された価値送信情報に含まれるユーザ識別子及び電話番号と対応付けて表示情報記憶部１０６に記録する。
【００４０】
電文定義情報生成部１１３は、取得された生成規則情報に基づいて電文定義情報を生成する。具体的には、電文定義情報生成部１１３は、生成規則情報が保持する電文フォーム、第１オプションから第４オプションまでの値を取得する。電文定義情報生成部１１３は、生成規則情報から取得された第１オプションから第４オプションまでの値のうち、“Message”の値を保持するオプションを特定する。電文定義情報生成部１１３は、取得された価値送信情報に含まれる第１オプションから第４オプションまでの値のうち、特定されたオプションと同じオプションの値を取得する。例えば、“Message”の値を保持するオプショが第１オプション及び第３オプションの場合、電文定義情報生成部１１３は、取得された価値送信情報に含まれる第１オプション及び第３オプションの値を取得する。電文定義情報生成部１１３は、電文フォームの所定の領域に取得されたオプションの値を含める。電文定義情報生成部１１３は、オプションの値を含む電文フォーム、価値送信情報に含まれるユーザ識別子、電話番号、登録日及び生成された表示情報ＵＲＬを含む電文定義情報を生成する。電文定義情報生成部１１３は、生成された電文定義情報を、情報送信装置２００に送信してもよいし、情報集計装置１００の記憶部（不図示）に記録してもよい。
【００４１】
表示情報送信部１１４は、端末装置３００に表示情報を送信する。具体的には、表示情報送信部１１４は、情報送信装置２００から表示情報ＵＲＬを取得する。表示情報送信部１１４は、転送情報テーブルから取得された表示情報ＵＲＬの値を保持する転送情報レコードを特定する。表示情報送信部１１４は、転送情報レコードからユーザ識別子及び電話番号の値を取得する。表示情報送信部１１４は、取得されたユーザ識別子及び電話番号の値と対応付けられた表示情報を取得する。表示情報送信部１１４は、取得された電話番号の値を有する端末装置３００に表示情報を送信する。
【００４２】
アクセス情報処理部１１５はアクセスレコードを生成する。具体的には、アクセス情報処理部１１５は、端末装置３００から集計情報ＵＲＬを取得する。アクセス情報処理部１１５は、取得された集計情報ＵＲＬの値を保持する転送情報レコードを特定する。アクセス情報処理部１１５は、転送情報レコードから電話番号の値を取得する。アクセス情報処理部１１５は、集計情報ＵＲＬが取得された日時をアクセス日時とする。アクセス情報処理部１１５は、取得された電話番号の値、集計情報ＵＲＬ値及びアクセス日時の値を含むアクスレコードを生成する。アクセス情報処理部１１５は生成されたアクセスレコードをアクセステーブルに記録する。アクセスレコードはアクセス情報の一態様である。アクセス情報処理部１１５は、価値情報の取得指示に基づいて、端末装置から価値情報の取得指示を受け付けたことを示すアクセス情報を生成する。
【００４３】
アクセス情報処理部１１５は、アクセステーブルに記録されたアクセスレコードの数を計数する。例えば、アクセス情報処理部１１５は、価値情報ＵＲＬの値と電話番号の値との組み合わせが一致するアクセスレコードの数を、端末装置３００によって価値情報にアクセスされた回数として計数する。アクセス情報処理部１１５は、アクセステーブルに記録されたアクセスレコードの個数を計数することで、価値情報にアクセスされた回数を特定する。
【００４４】
転送部１１６は、端末装置３００から集計情報ＵＲＬを受け付けた場合、端末装置３００に価値情報ＵＲＬの値を送信する。具体的には、転送部１１６は、受け付けた集計情報ＵＲＬの値を保持する転送情報レコードを特定する。転送部１１６は、転送情報レコードから価値情報ＵＲＬの値を取得する。転送部１１６は、取得された価値情報ＵＲＬの値を端末装置３００に送信する。
【００４５】
図３は、情報送信装置２００の機能構成を表す機能ブロック図である。情報送信装置２００は、バスで接続されたＣＰＵやメモリや補助記憶装置などを備え、情報送信プログラムを実行することによって通信部２０１、入力部２０２、表示部２０３、電話番号状態記憶部２０４、短縮アクセス情報記憶部２０５及び制御部２０６を備える装置として機能する。なお、通信部２０１、入力部２０２、表示部２０３、電話番号状態記憶部２０４、短縮アクセス情報記憶部２０５及び制御部２０６の各機能の全て又は一部は、ＡＳＩＣやＰＬＤやＦＰＧＡ等のハードウェアを用いて実現されてもよい。情報送信プログラムは、コンピュータ読み取り可能な記録媒体に記録されてもよい。情報送信プログラムは、電気通信回線を介して送信されてもよい。
【００４６】
通信部２０１は、ネットワークインタフェースである。通信部２０１はネットワーク５００を介して、情報集計装置１００又は端末装置３００と通信する。通信部２０１は、例えば無線ＬＡＮ、有線ＬＡＮ、ＬＴＥ又は５Ｇ等の通信方式で通信してもよい。
【００４７】
入力部２０２は、タッチパネル、マウス及びキーボード等の入力装置を用いて構成される。入力部２０２は、入力装置を情報送信装置２００に接続するためのインタフェースであってもよい。この場合、入力部２０２は、入力装置において入力された入力信号から入力データ（例えば、情報送信装置２００に対する指示を示す指示情報）を生成し、情報送信装置２００に入力する。
【００４８】
表示部２０３は、ＣＲＴディスプレイ、液晶ディスプレイ、有機ＥＬディスプレイ等の出力装置である。表示部２０３は、出力装置を情報送信装置２００に接続するためのインタフェースであってもよい。この場合、表示部２０３は、映像データから映像信号を生成し自身に接続されている映像出力装置に映像信号を出力する。
【００４９】
電話番号状態記憶部２０４は、磁気ハードディスク装置や半導体記憶装置等の記憶装置を用いて構成される。電話番号状態記憶部２０４は、電話番号状態情報を記憶する。電話番号状態情報は、所定のタイミングにおける電話番号の利用状況を表す。電話番号状態情報は、電話番号毎に記憶される。電話番号状態情報は、例えば、有効、無効、移転、局預又は都合停止の５状態で利用状況を表す。有効は、対象となる電話番号を加入者が使用しており、発着信できる状態であることを表す。無効は、対象となる電話番号が使用されていない状態であることを表す。移転は、対象となる電話番号が他の番号に変更されている状態にあることを表す。例えば、状態が移転である電話番号に発信が行われた場合、発信者の受話器には他の番号に変更されていることをアナウンスする移転アナウンスが流れる。局預は、対象となる電話番号を加入者が使用しているが、発着信できない状態であることを表す。局預の場合、電話番号に発信をしても、発信者の受話器には移転アナウンスは流れない。都合停止は、対象となる電話番号が加入者の事情で発着信できない状態にされている状態を表す。なお、利用状況は上記の５状態に限定されず、他の状態が設けられていてもよいし、より少ない状態で表されてもよい。所定のタイミングとは、例えば、１カ月毎でもよいし、２カ月毎でもよく、予め指定されたタイミングで有ればどのようなタイミングであってもよい。
【００５０】
電話番号状態記憶部２０４は、予め指定された期間の電話番号状態情報を記憶する。予め指定された期間は、例えば２年であってもよい。電話番号が“０９０−０ＡＢＪ−０ＢＢＢ”、予め指定された期間が２年間である場合を例として、電話番号状態情報について説明する。この場合、電話番号状態記憶部２０４は、電話番号“０９０−０ＡＢＪ−０ＢＢＢ”の利用状況として、１か月前の利用状況“有効”、２か月前の利用状況“有効”、・・・、２４か月前の利用状況“無効”、といった情報を、電話番号状態情報として記憶する。電話番号状態情報は、予め電話番号状態記憶部２０４に記録されていてもよい。
【００５１】
短縮アクセス情報記憶部２０５は、磁気ハードディスク装置や半導体記憶装置等の記憶装置を用いて構成される。短縮アクセス情報記憶部２０５は、短縮アクセステーブルを記憶する。短縮アクセステーブルは、電文に保持される短縮ＵＲＬと表示情報ＵＲＬとを対応付けて記憶する。
【００５２】
図８は、短縮アクセステーブルの一具体例を示す図である。短縮アクセステーブルは、短縮アクセスレコードを有する。短縮アクセスレコードは、ユーザ識別子、電話番号、表示情報ＵＲＬ及び短縮ＵＲＬの各値を有する。ユーザ識別子は、電文を送信するサービスが特定される識別子である。ユーザ識別子は、生成規則情報テーブルに保持されるユーザ識別子と同じ値が用いられる。電話番号は、ユーザ識別子によって特定されるサービスを使用する者の電話番号を表す。電話番号は転送情報テーブルに保持される電話番号と同じ値が用いられる。表示情報ＵＲＬは、表示情報に端末装置３００がアクセスするためのＵＲＬを表す。表示情報ＵＲＬは転送情報テーブルに保持される表示情報ＵＲＬと同じ値が用いられる。短縮ＵＲＬは、電文に記載されるＵＲＬを表す。短縮ＵＲＬは、表示情報ＵＲＬと対応付けられる。短縮ＵＲＬは、表示情報ＵＲＬよりも字数が少ないＵＲＬである。短縮ＵＲＬは、予め指定された価値を表す価値情報を取得するための取得手段を表す価値取得情報を取得するための文字列である。端末装置３００が短縮ＵＲＬにアクセスすると、端末装置３００のアクセスは、短縮ＵＲＬに対応付けられた表示情報ＵＲＬにリダイレクトされる。短縮ＵＲＬが電文に記載されることで、端末装置３００は、使える字数が制限された電文からでも、表示情報にアクセスすることができる。
【００５３】
図８に示される例では、短縮アクセステーブルの最上段の短縮アクセスレコードは、ユーザ識別子の値が“Ｕｓｅｒ０１”、電話番号の値が“０９０１１１１２２２２”、表示情報ＵＲＬの値が“https://www.lp_page/01d93”、短縮ＵＲＬの値が“https://shurl01d93.jp”である。従って、短縮アクセステーブルの最上段の短縮アクセスレコードによると、ユーザ識別子“Ｕｓｅｒ０１”によって特定されるサービスにおいて、電話番号“０９０１１１１２２２２”を持つ端末装置３００には、短縮ＵＲＬとして“https://shurl01d93.jp”が記載された電文が送信される。端末装置３００が、短縮ＵＲＬにアクセスすると、表示情報ＵＲＬ“https://www.lp_page/01d93”に転送されることがわかる。なお、図８に示される短縮アクセステーブルは一具体例に過ぎない。そのため、図８とは異なる態様で短縮アクセステーブルが構成されてもよい。
【００５４】
制御部２０６は情報送信装置２００の各部の動作を制御する。制御部２０６は、例えばＣＰＵ等のプロセッサ及びＲＡＭを備えた装置により実行される。制御部２０６は、情報送信プログラムを実行することによって、電文定義情報取得部２０７、他人名義判定部２０８、警報部２０９、短縮アクセス情報生成部２１０、電文生成部２１１、送信部２１２及び転送部２１３として機能する。
【００５５】
電文定義情報取得部２０７は、情報集計装置１００によって生成された電文定義情報を取得する。電文定義情報取得部２０７は、電文定義情報を情報集計装置１００から受信することで取得してもよいし、外部から電文定義情報を取得してもよい。外部とは、例えば、外付けの記憶装置であってもよいし、電子メールなどの添付ファイルであってもよいし、専用のフォームから取得してもよい。
【００５６】
他人名義判定部２０８は、所定の電話番号に対して他人名義判定を行う。他人名義判定とは、所定の電話番号の所有者が変更されているか否かを判定する処理である。所定の電話番号とは、例えば、取得された電文定義情報に含まれる電話番号であってもよい。他人名義判定の結果に基づいて、電文を送信するか否かが決定される。他人名義判定の結果には、例えば、電話番号の所有者が変更されたこと、電話番号の所有者が変更されていないことのいずれか１つを示す情報であってもよい。
【００５７】
警報部２０９は、他人名義判定の結果が電話番号の所有者が変更されたことを示す結果である場合に、警報を発報する。警報は、例えば電文を送信しなくてもよいし、アラートメールを情報送信装置２００の管理者に送信してもよい。警報部２０９はどのような警報を発報してもよい。
【００５８】
短縮アクセス情報生成部２１０は、取得された電文定義情報に基づいて短縮アクセスレコードを生成する。具体的には、短縮アクセス情報生成部２１０は電文定義情報が保持する表示情報ＵＲＬを取得する。短縮アクセス情報生成部２１０は表示情報ＵＲＬに基づいて短縮ＵＲＬを生成する。短縮ＵＲＬの生成には公知の方法が用いられてもよい。短縮アクセス情報生成部２１０は、電文定義情報に含まれるユーザ識別子及び電話番号を取得する。短縮アクセス情報生成部２１０は、ユーザ識別子、電話番号、表示情報ＵＲＬ及び短縮ＵＲＬの値を含む短縮アクセスレコードを生成する。短縮アクセス情報生成部２１０は、生成された短縮アクセスレコードを短縮アクセステーブルに記録する。
【００５９】
電文生成部２１１は、取得された電文定義情報に基づいて電文を生成する。電文は、予め指定された文字数に字数が制限される。電文は短縮ＵＲＬを含む。短縮ＵＲＬは、電文定義情報に含まれる電文フォームの所定のフィールドに入力される。所定のフィールドは、電文フォームが生成された際に予め決定される。電文は例えば、ショートメッセージ等のように、宛先として電話番号が用いられる方式で生成されてもよい。
【００６０】
送信部２１２は、生成された電文を端末装置３００に送信する。送信部２１２は、取得された電文定義情報に含まれる電話番号を持つ端末装置３００に対して電文を送信する。
【００６１】
転送部２１３は、端末装置３００から短縮ＵＲＬを受け付けた場合、表示情報ＵＲＬにリダイレクトさせる。具体的には、転送部２１３は、受け付けた短縮ＵＲＬの値を保持する短縮アクセスレコードを特定する。転送部２１３は短縮アクセスレコードから表示情報ＵＲＬの値を取得する。転送部２１３は、表示情報ＵＲＬの値を端末装置３００に送信する。
【００６２】
図４は、端末装置３００の機能構成を表す機能ブロック図である。端末装置３００は、バスで接続されたＣＰＵやメモリや補助記憶装置などを備え、情報取得プログラムを実行することによって通信部３０１、入力部３０２、表示部３０３、電文記憶部３０４及び制御部３０５を備える装置として機能する。なお、通信部３０１、入力部３０２、表示部３０３、電文記憶部３０４及び制御部３０５の各機能の全て又は一部は、ＡＳＩＣやＰＬＤやＦＰＧＡ等のハードウェアを用いて実現されてもよい。情報取得プログラムは、コンピュータ読み取り可能な記録媒体に記録されてもよい。情報取得プログラムは、電気通信回線を介して送信されてもよい。
【００６３】
通信部３０１は、ネットワークインタフェースである。通信部３０１はネットワーク５００を介して、情報集計装置１００又は情報送信装置２００と通信する。通信部３０１は、例えば無線ＬＡＮ、有線ＬＡＮ、ＬＴＥ又は５Ｇ等の通信方式で通信してもよい。
【００６４】
入力部３０２は、タッチパネル、マウス及びキーボード等の入力装置を用いて構成される。入力部３０２は、入力装置を端末装置３００に接続するためのインタフェースであってもよい。この場合、入力部３０２は、入力装置において入力された入力信号から入力データ（例えば、端末装置３００に対する指示を示す指示情報）を生成し、端末装置３００に入力する。
【００６５】
表示部３０３は、ＣＲＴディスプレイ、液晶ディスプレイ、有機ＥＬディスプレイ等の出力装置である。表示部３０３は、出力装置を端末装置３００に接続するためのインタフェースであってもよい。この場合、表示部３０３は、映像データから映像信号を生成し自身に接続されている映像出力装置に映像信号を出力する。
【００６６】
電文記憶部３０４は、磁気ハードディスク装置や半導体記憶装置等の記憶装置を用いて構成される。電文記憶部３０４は、端末装置３００に送信された電文を記憶する。
【００６７】
制御部３０５は端末装置３００の各部の動作を制御する。制御部３０５は、例えばＣＰＵ等のプロセッサ及びＲＡＭを備えた装置により実行される。制御部３０５は、情報取得プログラムを実行することによって、電文取得部３０６、指示受付部３０７、画面生成部３０８及び価値情報取得部３０９として機能する。
【００６８】
電文取得部３０６は、情報送信装置２００から送信された電文を取得する。電文取得部３０６は、取得された電文を電文記憶部３０４に記録する。
【００６９】
指示受付部３０７は、入力部３０２を介して端末装置３００の所有者からの指示を受け付ける。指示は、例えば、電文に記載された短縮ＵＲＬの選択指示であってもよいし、表示情報に記載された価値情報ＵＲＬの選択指示であってもよい。指示受付部３０７は、受け付けた指示に応じた動作を行う。例えば、指示受付部３０７は、短縮ＵＲＬの選択指示を受け付けた場合、短縮ＵＲＬの値を情報送信装置２００に送信する。短縮ＵＲＬの値を送信した指示受付部３０７は、情報送信装置２００から表示情報ＵＲＬの値を取得する。表示情報ＵＲＬの値を取得した指示受付部３０７は、情報集計装置１００に表示情報ＵＲＬの値を送信する。表示情報ＵＲＬの値を送信した指示受付部３０７は、情報集計装置１００から表示情報を取得する。また、指示受付部３０７は、価値情報ＵＲＬの選択指示を受け付けた場合、価値情報ＵＲＬの値を情報集計装置１００に送信する。価値情報ＵＲＬの値を送信した指示受付部３０７は、情報集計装置１００から価値情報ＵＲＬの値を取得する。価値情報ＵＲＬの値を取得した指示受付部３０７は、価値情報送信装置４００に価値情報ＵＲＬの値を送信する。価値情報ＵＲＬの値を送信した指示受付部３０７は、価値情報送信装置４００から価値情報を取得する。
【００７０】
画面生成部３０８は、画面情報を生成する。画面生成部３０８は、生成された画面情報を表示部３０３に表示させる。例えば、画面生成部３０８は、電文記憶部３０４に記録された電文に基づいて、電文の内容を表す画面情報を生成してもよいし、情報集計装置１００から受信した表示情報に基づいて、表示情報の内容を示す画面情報を生成してもよいし、価値情報の内容を示す画面情報を生成してもよい。
【００７１】
図９は、表示部３０３に表示された電文の一具体例を示す図である。図９に示される表示部３０３には、電文の画面情報が表示される。電文の画面情報は画面生成部３０８によって生成される。表示部３０３は、領域４０１を含む。領域４０１は、短縮ＵＲＬを表す領域である。端末装置３００の所有者によって領域４０１がタッチされた場合、入力部３０２は短縮ＵＲＬの選択指示を入力する。指示受付部３０７は、短縮ＵＲＬの選択指示が入力されると、短縮ＵＲＬの選択指示を受け付ける。指示受付部３０７は、短縮ＵＲＬの選択指示を受け付けると、情報送信装置２００に短縮ＵＲＬを送信する。
【００７２】
図１０は、表示部３０３に表示された表示情報の一具体例を示す図である。図１０に示される表示部３０３には、表示情報の画面情報が表示される。表示情報の画面情報は画面生成部３０８によって生成される。表示部３０３は、領域４０２を含む。領域４０２は、価値情報ＵＲＬを示す領域である。なお、領域４０２には、価値情報ＵＲＬに対応付けられた集計情報ＵＲＬが保持されており、価値情報ＵＲＬの選択指示が受付されると、集計情報ＵＲＬが送信される。端末装置３００の所有者によって領域４０２がタッチされた場合、入力部３０２は価値情報ＵＲＬの選択指示を入力する。指示受付部３０７は、価値情報ＵＲＬの選択指示が入力されると、価値情報ＵＲＬの選択指示を受け付ける。指示受付部３０７は、価値情報ＵＲＬの選択指示を受け付けると、情報集計装置１００に対して、価値情報ＵＲＬに対応付けられた集計情報ＵＲＬを送信する。
【００７３】
図１１は、他人名義判定の処理の流れの一具体例を示すフローチャートである。他人名義判定部２０８は、所定の電話番号の電話番号状態情報を取得する（ステップＳ１０１）。他人名義判定部２０８は、電話番号状態情報に含まれる利用状況を参照する。他人名義判定部２０８は、所定期間、連続して「無効」が保持された後に、無効以外が保持されているか否かを判定する（ステップＳ１０２）。無効以外とは、例えば、有効、移転、局預又は都合停止のいずれの利用状況であってもよい。所定期間とは、例えば、３か月であってもよいし、６ヶ月であってもよい。所定期間は予め定められた期間であればどのような期間であってもよい。
【００７４】
所定期間、連続して「無効」が保持された後に、無効以外が保持されている場合（ステップＳ１０２：ＹＥＳ）、他人名義判定部２０８は、電話番号の所有者が変更されていると判定する（ステップＳ１０３）。所定期間、連続して「無効」が保持された後に、無効以外が保持されていない場合（ステップＳ１０２：ＮＯ）、他人名義判定部２０８は、電話番号の所有者が変更されていないと判定する（ステップＳ１０４）。なお、他人名義判定部２０８は、電話番号状態情報に含まれる利用状況を参照するに当たり、参照される始期が定められてもよい。例えば、他人名義判定部２０８は、電文定義情報に含まれる登録日の値を始期として他人名義判定を行ってもよい。
【００７５】
図１２は、電文定義情報の生成処理の流れの一具体例を示すフローチャートである。価値送信情報取得部１０９は、価値送信情報を取得する（ステップＳ２０１）。生成規則情報取得部１１０は、取得された価値送信情報に含まれるユーザ識別子の値を保持する生成規則情報を取得する（ステップＳ２０２）。転送情報生成部１１１は、取得された価値送信情報に含まれる価値情報ＵＲＬに基づいて、表示情報ＵＲＬ及び集計情報ＵＲＬを生成する。転送情報生成部１１１は、ユーザ識別子、電話番号、価値情報ＵＲＬ、表示情報ＵＲＬ及び集計情報ＵＲＬを含む転送情報レコードを生成する（ステップＳ２０３）。転送情報生成部１１１は、生成された転送情報レコードを転送情報テーブルに記録する（ステップＳ２０４）。
【００７６】
表示情報生成部１１２は、生成規則情報が保持する表示情報フォームの所定のフィールドに、取得された価値送信情報に含まれる価値情報ＵＲＬの値と集計情報ＵＲＬの値とを含めることで、表示情報を生成する（ステップＳ２０５）。表示情報生成部１１２は、生成された表示情報を、取得された価値送信情報に含まれるユーザ識別子及び電話番号と対応付けて表示情報記憶部１０６に記録する（ステップＳ２０６）。電文定義情報生成部１１３は、取得された生成規則情報に基づいて電文定義情報を生成する（ステップＳ２０７）。
【００７７】
図１３は、電文の送信処理の流れの一具体例を示すフローチャートである。電文定義情報取得部２０７は、電文定義情報を取得する（ステップＳ３０１）。他人名義判定部２０８は他人名義判定を行う（ステップＳ３０２）。他人名義判定部２０８は、他人名義判定の結果、電話番号の所有者が変更されているか否かを判定する（ステップＳ３０３）。電話番号の所有者が変更されている場合（ステップＳ３０３：ＹＥＳ）、警報部２０９は、警報を発報する。警報部２０９は例えば、電文の送信を中止し、アラートメールを情報送信装置２００の管理者に送信することで警報を発報する（ステップＳ３０４）。
【００７８】
電話番号の所有者が変更されていない場合（ステップＳ３０３：ＮＯ）、短縮アクセス情報生成部２１０は、ユーザ識別子、電話番号、表示情報ＵＲＬ及び短縮ＵＲＬの値を含む短縮アクセスレコードを生成する（ステップＳ３０５）。短縮アクセス情報生成部２１０は、生成された短縮アクセスレコードを短縮アクセステーブルに記録する（ステップＳ３０６）。電文生成部２１１は、取得された電文定義情報に基づいて電文を生成する（ステップＳ３０７）。送信部２１２は、取得された電文定義情報に含まれる電話番号を持つ端末装置３００に対して電文を送信する（ステップＳ３０８）。
【００７９】
図１４は、価値情報の取得の処理の流れの一具体例を示すシーケンスチャートである。
画面生成部３０８は、電文記憶部３０４に記憶された電文に基づいて、電文の内容を示す画面情報を生成する。画面生成部３０８は生成された画面情報を表示部３０３に表示させる（ステップＳ４０１）。指示受付部３０７は、入力部３０２を介して電文に記載された短縮ＵＲＬの選択指示を受け付ける（ステップＳ４０２）。指示受付部３０７は、短縮ＵＲＬを情報送信装置２００に送信する（ステップＳ４０３）。
【００８０】
転送部２１３は、短縮ＵＲＬを受け付けると、受け付けた短縮ＵＲＬの値を保持する短縮アクセスレコードを特定する。転送部２１３は短縮アクセスレコードから表示情報ＵＲＬの値を取得する（ステップＳ４０４）。転送部２１３は、表示情報ＵＲＬの値を端末装置３００に送信する（ステップＳ４０５）。端末装置３００の指示受付部３０７は、受け付けた表示情報ＵＲＬの値を情報集計装置１００に送信することで表示情報を要求する（ステップＳ４０６）。表示情報送信部１１４は、転送情報テーブルから取得された表示情報ＵＲＬの値を保持する転送情報レコードを特定する。表示情報送信部１１４は、転送情報レコードからユーザ識別子及び電話番号の値を取得する。表示情報送信部１１４は、取得されたユーザ識別子及び電話番号の値と対応付けられた表示情報を取得する（ステップＳ４０７）。表示情報送信部１１４は、転送情報レコードに記録される電話番号の値を有する端末装置３００に表示情報を送信する（ステップＳ４０８）。
【００８１】
画面生成部３０８は、受信した表示情報に基づいて、表示情報の内容を示す画面情報を生成する。画面生成部３０８は生成された画面情報を表示部３０３に表示させる（ステップＳ４０９）。指示受付部３０７は、入力部３０２を介して表示情報に記載された価値情報ＵＲＬの選択指示を受け付ける（ステップＳ４１０）。指示受付部３０７は、価値情報ＵＲＬの選択指示を受け付けると、情報集計装置１００に対して、価値情報ＵＲＬに対応付けられた集計情報ＵＲＬを送信する（ステップＳ４１１）。
【００８２】
アクセス情報処理部１１５は、取得された集計情報ＵＲＬの値を保持する転送情報レコードを特定する。アクセス情報処理部１１５は、転送情報レコードから電話番号の値を取得する。アクセス情報処理部１１５は、取得された電話番号の値、集計情報ＵＲＬ値及びアクセス日時の値を含むアクスレコードを生成する（ステップＳ４１２）。アクセス情報処理部１１５は生成されたアクセスレコードをアクセステーブルに記録する（ステップＳ４１３）。転送部１１６は、転送情報レコードから価値情報ＵＲＬの値を取得する（ステップＳ４１４）。転送部１１６は、取得された価値情報ＵＲＬの値を端末装置３００に送信する（ステップＳ４１５）。端末装置３００の価値情報取得部３０９は、受け付けた価値情報ＵＲＬの値を価値情報送信装置４００に送信することで価値情報を取得する。        
【００８３】
このように構成された情報処理システム１では、情報集計装置１００の表示情報生成部１１２は、価値情報に関する説明文を含む表示情報を生成する。価値情報は、端末装置３００の所有者によって受益される情報である。情報送信装置２００の短縮アクセス情報生成部２１０は、生成された表示情報にアクセス可能な短縮ＵＲＬを生成する。電文生成部２１１は、生成された短縮ＵＲＬを含む電文を生成する。電文は、例えばショートメッセージのような字数が制限されている手段であってもよい。送信部２１２は、電文を端末装置３００に送信する。端末装置３００の画面生成部３０８は、電文を表示部３０３に表示させる。指示受付部３０７は、電文に含まれる短縮ＵＲＬの選択指示を受け付ける。短縮ＵＲＬの選択指示を受け付けると、情報集計装置１００から表示情報が送信される。端末装置３００の画面生成部３０８は、電文の字数よりも多い文字数の説明文及び価値情報ＵＲＬが記載された表示情報を表示部３０３に表示させる。端末装置３００の所有者は、表示部３０３に表示された表示情報を視認することで、説明文を読むことができる。したがって、電文に字数制限がされている場合であっても、価値情報が表示されるまでに電文の字数より多い文字を提示することが可能になる。
【００８４】
しかし、電文に表示された表示情報ＵＲＬを操作することで表示情報を表示させた場合、情報集計装置１００は、表示情報にアクセスされた回数を計数することができる。しかし、端末装置３００が、表示情報ＵＲＬを操作することで価値情報にアクセスした回数を計数することは難しかった。そこで、本実施形態の情報処理システム１では、端末装置３００の指示受付部３０７は、表示情報に表示された価値情報ＵＲＬの選択指示を受け付ける。価値情報ＵＲＬは、集計情報ＵＲＬに対応付けられている。指示受付部３０７は、価値情報ＵＲＬに対応付けられた集計情報ＵＲＬの値を情報集計装置１００に送信する。アクセス情報処理部１１５は、集計情報ＵＲＬの値に基づいて、アクセスレコードをアクセステーブルに記録する。したがって、アクセス情報処理部１１５は、アクセステーブルに記録されたアクセスレコードの数を計数することで、価値情報にアクセスされた回数を集計することが可能になる。
【００８５】
また、情報送信装置２００の送信部２１２は、電文をショートメッセージとして送信する。ショートメッセージは、電子メールと比較して開封率が高い。したがって、電文がショートメッセージで送信されることで、電文の開封率を高めることができる。また、電文の開封率が高まることで、価値情報を使用してもらえる可能性を高めることができる。
【００８６】
本実施形態では、情報集計装置１００及び情報送信装置２００は、異なる装置であるとして説明したが、同一の装置として構成されてもよい。情報集計装置１００は、複数の装置で構成されてもよい。情報送信装置２００は、複数の装置で構成されてもよい。情報集計装置１００及び情報送信装置２００は、クラウドコンピューティングシステムによって構成されてもよい。
【００８７】
上述した実施形態における価値送信情報取得部１０９、生成規則情報取得部１１０、転送情報生成部１１１、表示情報生成部１１２、電文定義情報生成部１１３、表示情報送信部１１４、アクセス情報処理部１１５、転送部１１６、電文定義情報取得部２０７、他人名義判定部２０８、警報部２０９、短縮アクセス情報生成部２１０、電文生成部２１１、送信部２１２及び転送部２１３をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００８８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００８９】
本発明は、端末装置に対して価値情報を送信する情報送信サービスに適用可能である。
【符号の説明】
【００９０】
１…情報処理システム，  １００…情報集計装置，  １０１…通信部，  １０２…入力部，  １０３…表示部，  １０４…生成規則情報記憶部，  １０５…転送情報記憶部，  １０６…表示情報記憶部，  １０７…アクセス情報記憶部，  １０８…制御部，  １０９…価値送信情報取得部，  １１０…生成規則情報取得部，  １１１…転送情報生成部，  １１２…表示情報生成部，  １１３…電文定義情報生成部，１１４…表示情報送信部，  １１５…アクセス情報処理部，  １１６…転送部，  ２００…情報送信装置，  ２０１…通信部，  ２０２…入力部，  ２０３…表示部，  ２０４…電話番号状態記憶部，  ２０５…短縮アクセス情報記憶部，  ２０６…制御部，  ２０７…電文定義情報取得部，  ２０８…他人名義判定部，  ２０９…警報部，  ２１０…短縮アクセス情報生成部，  ２１１…電文生成部，  ２１２…送信部，  ２１３…転送部，３００…端末装置，  ３０１…通信部，  ３０２…入力部，  ３０３…表示部，  ３０４…電文記憶部，  ３０５…制御部，  ３０６…電文取得部，  ３０７…指示受付部，  ３０８…画面生成部，  ３０９…価値情報取得部，  ４００…価値情報送信装置，  ５００…ネットワーク
【図１】
2019213041.tif 000003
【図２】
2019213041.tif 000004
【図３】
2019213041.tif 000005
【図４】
2019213041.tif 000006
【図５】
2019213041.tif 000007
【図６】
2019213041.tif 000008
【図７】
2019213041.tif 000009
【図８】
2019213041.tif 000010
【図９】
2019213041.tif 000011
【図１０】
2019213041.tif 000012
【図１１】
2019213041.tif 000013
【図１２】
2019213041.tif 000014
【図１３】
2019213041.tif 000015
【図１４】
2019213041.tif 000016